(57)【要約】【課題】施工現場で発生する瓦廃材を減少させ、かつ施工コストを大幅に低減できる隅瓦セットを提供すること。【解決方法】略方形の桟瓦が千鳥葺きされる屋根の隅棟又は谷に用いられる隅瓦セットであって、隅棟又は谷の下段から上段へ順に敷設される第１隅瓦１１，２１，３１，４１、第２隅瓦１２，２２，３２，４２、第３隅瓦１３，２３，３３，４３及び第４隅瓦１４，２４，３４，４４の４種類の隅瓦から成り、第１カットラインＬＲ１，ＬＬ１と第２カットラインＬＲ２，ＬＬ２と第３カットラインＬＲ３，ＬＬ３及び第４カットラインＬＲ４，ＬＬ４が略一直線に整列するように、上記第１隅瓦の形状寸法に基づいて第２隅瓦１２，２２，３２，４２の形状寸法を定め、該第２隅瓦の形状寸法に基づいて第３隅瓦１３，２３，３３，４３の形状寸法を定め、該第３隅瓦の形状寸法に基づいて第４隅瓦１４，２４，３４，４４の形状寸法を定める。【選択図】図１０
2008231711.tif 000002
【特許請求の範囲】
【請求項１】
略方形の桟瓦が千鳥葺きされる屋根の隅棟又は谷に用いられる隅瓦セットであって、
隅棟又は谷の下段から上段へ順に敷設される第１隅瓦、第２隅瓦、第３隅瓦及び第４隅瓦の４種類の隅瓦から成り、
第１隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する第１カットラインから２分割して形成した左右の瓦片のうち一方の瓦片から成り、
第２隅瓦は桟瓦を第１カットラインと平行な第２カットラインから２分割して形成した左右の瓦片のうち第１隅瓦と同じ側の瓦片から成り、
第３隅瓦は桟瓦を第１カットラインと平行な第３カットラインから２分割して形成した左右の瓦片のうち第１隅瓦と同じ側の瓦片から成り、
第４隅瓦は桟瓦を第１カットラインと平行な第４カットラインから２分割して形成した左右の瓦片のうち第１隅瓦と同じ側の瓦片から成り、
隅棟又は谷の下段から上段へ順に第１隅瓦、第２隅瓦、第３隅瓦及び第４隅瓦を葺設したとき、第１カットラインと第２カットラインと第３カットライン及び第４カットラインが略一直線に整列するように、第１隅瓦の形状寸法に基づいて第２隅瓦の形状寸法を定め、
第２隅瓦の形状寸法に基づいて第３隅瓦の形状寸法を定め、かつ
第３隅瓦の形状寸法に基づいて第４隅瓦の形状寸法を定めたことを特徴とする隅瓦セット。
【請求項２】
略縦長方形の桟瓦が千鳥葺きされる屋根の右隅棟に用いられる隅瓦セットであって、
右隅棟の下段から上段へ順に敷設される第１右棟隅瓦、第２右棟隅瓦、第３右棟隅瓦及び第４右棟隅瓦の４種類の右棟隅瓦から成り、
第１右棟隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する右上がりの第１右上がりカットラインから２分割して形成した左右の瓦片のうち右瓦片から成り、
第２右棟隅瓦は桟瓦を第１右上がりカットラインと平行な第２右上がりカットラインから２分割して形成した左右の瓦片のうち右瓦片から成り、
第３右棟隅瓦は桟瓦を第１右上がりカットラインと平行な第３右上がりカットラインから２分割して形成した左右の瓦片のうち右瓦片から成り、
第４右棟隅瓦は桟瓦を第１右上がりカットラインと平行な第４右上がりカットラインから２分割して形成した左右の瓦片のうち右瓦片から成り、
第１右棟隅瓦は外形が略５角形で、桟瓦の利き幅全長分の頭部側端面と、桟瓦の昇り足全長分の右端面と、昇り足全長の約１／１０の長さの左端面を有し、
第２右棟隅瓦は外形が略三角形で、桟瓦の利き幅全長の約３／４の長さの頭部側端面を有し、
第３右棟隅瓦は外形が略三角形で、昇り足全長の約２／５の長さの右端面を有し、
第４右棟隅瓦は外形が略５角形で、桟瓦の利き幅全長分の頭部側端面と、桟瓦の昇り足全長分の右端面と、桟瓦の昇り足全長の約２／５の長さの左端面を有することを特徴とする隅瓦セット。
【請求項３】
略縦長方形の桟瓦が千鳥葺きされる屋根の左隅棟に用いられる隅瓦セットであって、
左隅棟の下段から上段へ順に敷設される第１左棟隅瓦、第２左棟隅瓦、第３左棟隅瓦及び第４左棟隅瓦の４種類の左棟隅瓦から成り、
第１左棟隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する左上がりの第１左上がりカットラインから２分割して形成した左右の瓦片のうちの左瓦片から成り、
第２左棟隅瓦は桟瓦を第１左上がりカットラインと平行な第左上がり２カットラインから２分割して形成した左右の瓦片のうち左瓦片から成り、
第３左棟隅瓦は桟瓦を第１左上がりカットラインと平行な第３左上がりカットラインから２分割して形成した左右の瓦片のうち左瓦片から成り、
第４左棟隅瓦は桟瓦を第１左上がりカットラインと平行な第４左上がりカットラインから２分割して形成した左右の瓦片のうち左瓦片から成り、
第１左棟隅瓦は外形が略５角形で、桟瓦の利き幅全長分の頭部側端面と、桟瓦の昇り足全長分の左端面と、昇り足全長の約１／１０の長さの右端面を有し、
第２左棟隅瓦は外形が略三角形で、桟瓦の利き幅全長の約３／４の長さの頭部側端面を有し、
第３左棟隅瓦は外形が略三角形で、昇り足全長の約２／５の長さの左端面を有し、
第４左棟隅瓦は外形が略５角形で、桟瓦の利き幅全長分の頭部側端面と、桟瓦の昇り足全長分の左端面と、桟瓦の昇り足全長の約２／５の長さの右端面を有することを特徴とする隅瓦セット。
【請求項４】
略縦長方形の桟瓦が千鳥葺きされる屋根の左谷に用いられる隅瓦セットであって、
左谷の下段から上段へ順に敷設される第１左谷隅瓦、第２左谷隅瓦、第３左谷隅瓦及び第４左谷隅瓦の４種類の左谷隅瓦から成り、
第１左谷隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する右上がりの第１右上がりカットラインから２分割して形成した左右の瓦片のうちの左瓦片から成り、
第２左谷隅瓦は桟瓦を第１右上がりカットラインと平行な第右上がり２カットラインから２分割して形成した左右の瓦片のうち左瓦片から成り、
第３左谷隅瓦は桟瓦を第１右上がりカットラインと平行な第３右上がりカットラインから２分割して形成した左右の瓦片のうち左瓦片から成り、
第４左隅瓦は桟瓦を第１右上がりカットラインと平行な第４右上がりカットラインから２分割して形成した左右の瓦片のうち左瓦片から成り、
第１左谷隅瓦は外形が略３角形で、桟瓦の利き幅全長分の尻側側端面と、昇り足全長の約９／１０の長さの左端面を有し、
第２左谷隅瓦は外形が略５角形で、桟瓦の利き幅全長分の尻側端面と桟瓦の昇り足全長分の左端面と桟瓦の利き幅全長の約１／４の長さの頭部側端面を有し、
第３左谷隅瓦は外形が略５角形で、桟瓦の利き幅全長分の尻側端面と桟瓦の昇り足全長分の左端面と昇り足全長の約３／５の長さの右端面を有し、
第４左谷隅瓦は外形が略３角形で、桟瓦の昇り足全長の３／５の長さの左端面を有することを特徴とする隅瓦セット。
【請求項５】
略縦長方形の桟瓦が千鳥葺きされる屋根の右谷に用いられる隅瓦セットであって、
右谷の下段から上段へ順に敷設される第１右谷隅瓦、第２右谷隅瓦、第３右谷隅瓦及び第４右谷隅瓦の４種類の右谷隅瓦から成り、
第１右谷隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する左上がりの第１左上がりカットラインから２分割して形成した左右の瓦片のうちの右瓦片から成り、
第２右谷隅瓦は桟瓦を第１左上がりカットラインと平行な第２左上がりカットラインから２分割して形成した左右の瓦片のうち右瓦片から成り、
第３右谷隅瓦は桟瓦を第１左上がりカットラインと平行な第３左上がりカットラインから２分割して形成した左右の瓦片のうち右瓦片から成り、
第４右隅瓦は桟瓦を第１左上がりカットラインと平行な第４左上がりカットラインから２分割して形成した左右の瓦片のうちの右瓦片から成り、
第１右谷隅瓦は外形が略３角形で、桟瓦の利き幅全長分の尻側側端面と、昇り足全長の約９／１０の長さの右端面を有し、
第２右谷隅瓦は外形が略５角形で、桟瓦の利き幅全長分の尻側端面と桟瓦の昇り足全長分の右端面と桟瓦の利き幅全長の約１／４の長さの頭部側端面を有し、
第３右谷隅瓦は外形が略５角形で、桟瓦の利き幅全長分の尻側端面と桟瓦の昇り足全長分の右端面と昇り足全長の約３／５の長さの左端面を有し、
第４右谷隅瓦は外形が略３角形で、桟瓦の昇り足全長の３／５の長さの右端面を有することを特徴とする隅瓦セット。
【発明の詳細な説明】
【技術分野】
【０００１】
本発明は、屋根の隅棟や谷の葺設に使用される隅瓦に関し、より詳しくは千鳥葺き屋根の隅棟や谷の葺設に用いるに好適な隅瓦のセットに関する。
【背景技術】
【０００２】
一般に、隅瓦は略矩形の桟瓦を施工現場で対角線若しくは対角線と平行なカットラインから２分割して所要の形状、寸法に現場合わせで切断加工したものを使用している。
【特許文献１】特開平９−２６８７１１号公報
【発明の開示】
【発明が解決しようとする課題】
【０００３】
しかし、現場合わせで桟瓦を隅瓦に切断加工する場合、施工現場に大量の瓦廃材が発生する。また、隅棟や谷に必要な隅瓦の形状、寸法は１種類ではなく、複数種類となるので、現場合わせで桟瓦から複数種類の隅瓦を作製するには甚だ手間がかかり、施工コストが高くなる。
【０００４】
本発明はかかる問題点に鑑み、施工現場で発生する瓦廃材を減少させ、かつ施工コストを大幅に低減できる隅瓦セットを提供することを目的とする。
【課題を解決するための手段】
【０００５】
請求項１に記載の発明は、略方形の桟瓦が千鳥葺きされる屋根の隅棟又は谷に用いられる隅瓦セットであって、隅棟又は谷の下段から上段へ順に敷設される第１隅瓦、第２隅瓦、第３隅瓦及び第４隅瓦の４種類の隅瓦から成り、第１隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する第１カットラインから２分割して形成した左右の瓦片のうち一方の瓦片から成り、第２隅瓦は桟瓦を第１カットラインと平行な第２カットラインから２分割して形成した左右の瓦片のうち第１隅瓦と同じ側の瓦片から成り、第３隅瓦は桟瓦を第１カットラインと平行な第３カットラインから２分割して形成した左右の瓦片のうち第１隅瓦と同じ側の瓦片から成り、第４隅瓦は桟瓦を第１カットラインと平行な第４カットラインから２分割して形成した左右の瓦片のうち第１隅瓦と同じ側の瓦片から成り、隅棟又は谷の下段から上段へ順に第１隅瓦、第２隅瓦、第３隅瓦及び第４隅瓦を葺設したとき、第１カットラインと第２カットラインと第３カットライン及び第４カットラインが略一直線に整列するように、第１隅瓦の形状寸法に基づいて第２隅瓦の形状寸法を定め、第２隅瓦の形状寸法に基づいて第３隅瓦の形状寸法を定め、かつ、第３隅瓦の形状寸法に基づいて第４隅瓦の形状寸法を定めたことを特徴とする。
【０００６】
請求項２に記載の発明は、略縦長方形の桟瓦が千鳥葺きされる屋根の右隅棟に用いられる隅瓦セットであって、右隅棟の下段から上段へ順に敷設される第１右棟隅瓦、第２右棟隅瓦、第３右棟隅瓦及び第４右棟隅瓦の４種類の右棟隅瓦から成り、第１右棟隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する右上がりの第１右上がりカットラインから２分割して形成した左右の瓦片のうち右瓦片から成り、第２右棟隅瓦は桟瓦を第１右上がりカットラインと平行な第２右上がりカットラインから２分割して形成した左右の瓦片のうち右瓦片から成り、第３右棟隅瓦は桟瓦を第１右上がりカットラインと平行な第３右上がりカットラインから２分割して形成した左右の瓦片のうち右瓦片から成り、第４右棟隅瓦は桟瓦を第１右上がりカットラインと平行な第４右上がりカットラインから２分割して形成した左右の瓦片のうち右瓦片から成り、第１右棟隅瓦は外形が略５角形で、桟瓦の利き幅全長分の頭部側端面と、桟瓦の昇り足全長分の右端面と、昇り足全長の約１／１０の長さの左端面を有し、第２右棟隅瓦は外形が略三角形で、桟瓦の利き幅全長の約３／４の長さの頭部側端面を有し、第３右棟隅瓦は外形が略三角形で、昇り足全長の約２／５の長さの右端面を有し、第４右棟隅瓦は外形が略５角形で、桟瓦の利き幅全長分の頭部側端面と、桟瓦の昇り足全長分の右端面と、桟瓦の昇り足全長の約２／５の長さの左端面を有することを特徴とする。
【０００７】
請求項３に記載の発明は、略縦長方形の桟瓦が千鳥葺きされる屋根の左隅棟に用いられる隅瓦セットであって、左隅棟の下段から上段へ順に敷設される第１左棟隅瓦、第２左棟隅瓦、第３左棟隅瓦及び第４左棟隅瓦の４種類の左棟隅瓦から成り、第１左棟隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する左上がりの第１左上がりカットラインから２分割して形成した左右の瓦片のうちの左瓦片から成り、第２左棟隅瓦は桟瓦を第１左上がりカットラインと平行な第左上がり２カットラインから２分割して形成した左右の瓦片のうち左瓦片から成り、第３左棟隅瓦は桟瓦を第１左上がりカットラインと平行な第３左上がりカットラインから２分割して形成した左右の瓦片のうち左瓦片から成り、第４左棟隅瓦は桟瓦を第１左上がりカットラインと平行な第４左上がりカットラインから２分割して形成した左右の瓦片のうち左瓦片から成り、第１左棟隅瓦は外形が略５角形で、桟瓦の利き幅全長分の頭部側端面と、桟瓦の昇り足全長分の左端面と、昇り足全長の約１／１０の長さの右端面を有し、第２左棟隅瓦は外形が略三角形で、桟瓦の利き幅全長の約３／４の長さの頭部側端面を有し、第３左棟隅瓦は外形が略三角形で、昇り足全長の約２／５の長さの左端面を有し、第４左棟隅瓦は外形が略５角形で、桟瓦の利き幅全長分の頭部側端面と、桟瓦の昇り足全長分の左端面と、桟瓦の昇り足全長の約２／５の長さの右端面を有することを特徴とする。
【０００８】
請求項４に記載の発明は、略縦長方形の桟瓦が千鳥葺きされる屋根の左谷に用いられる隅瓦セットであって、左谷の下段から上段へ順に敷設される第１左谷隅瓦、第２左谷隅瓦、第３左谷隅瓦及び第４左谷隅瓦の４種類の左谷隅瓦から成り、第１左谷隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する右上がりの第１右上がりカットラインから２分割して形成した左右の瓦片のうちの左瓦片から成り、第２左谷隅瓦は桟瓦を第１右上がりカットラインと平行な第右上がり２カットラインから２分割して形成した左右の瓦片のうち左瓦片から成り、第３左谷隅瓦は桟瓦を第１右上がりカットラインと平行な第３右上がりカットラインから２分割して形成した左右の瓦片のうち左瓦片から成り、第４左隅瓦は桟瓦を第１右上がりカットラインと平行な第４右上がりカットラインから２分割して形成した左右の瓦片のうち左瓦片から成り、第１左谷隅瓦は外形が略３角形で、桟瓦の利き幅全長分の尻側側端面と、昇り足全長の約９／１０の長さの左端面を有し、第２左谷隅瓦は外形が略５角形で、桟瓦の利き幅全長分の尻側端面と桟瓦の昇り足全長分の左端面と桟瓦の利き幅全長の約１／４の長さの頭部側端面を有し、第３左谷隅瓦は外形が略５角形で、桟瓦の利き幅全長分の尻側端面と桟瓦の昇り足全長分の左端面と昇り足全長の約３／５の長さの右端面を有し、第４左谷隅瓦は外形が略３角形で、桟瓦の昇り足全長の３／５の長さの左端面を有することを特徴とする。
【０００９】
請求項５に記載の発明は、略縦長方形の桟瓦が千鳥葺きされる屋根の右谷に用いられる隅瓦セットであって、右谷の下段から上段へ順に敷設される第１右谷隅瓦、第２右谷隅瓦、第３右谷隅瓦及び第４右谷隅瓦の４種類の右谷隅瓦から成り、第１右谷隅瓦は桟瓦を屋根勾配と戻り勾配と桟瓦の利き幅全長及び桟瓦の昇り足全長並びに桟瓦葺設時の昇り足に基づいて設定した所定角度で瓦本体の頭部側端面若しくは尻側端面と交差する左上がりの第１左上がりカットラインから２分割して形成した左右の瓦片のうちの右瓦片から成り、第２右谷隅瓦は桟瓦を第１左上がりカットラインと平行な第２左上がりカットラインから２分割して形成した左右の瓦片のうち右瓦片から成り、第３右谷隅瓦は桟瓦を第１左上がりカットラインと平行な第３左上がりカットラインから２分割して形成した左右の瓦片のうち右瓦片から成り、第４右隅瓦は桟瓦を第１左上がりカットラインと平行な第４左上がりカットラインから２分割して形成した左右の瓦片のうちの右瓦片から成り、第１右谷隅瓦は外形が略３角形で、桟瓦の利き幅全長分の尻側側端面と、昇り足全長の約９／１０の長さの右端面を有し、第２右谷隅瓦は外形が略５角形で、桟瓦の利き幅全長分の尻側端面と桟瓦の昇り足全長分の右端面と桟瓦の利き幅全長の約１／４の長さの頭部側端面を有し、第３右谷隅瓦は外形が略５角形で、桟瓦の利き幅全長分の尻側端面と桟瓦の昇り足全長分の右端面と昇り足全長の約３／５の長さの左端面を有し、第４右谷隅瓦は外形が略３角形で、桟瓦の昇り足全長の３／５の長さの右端面を有することを特徴とする。
【発明の効果】
【００１０】
本発明によれば予め所定形状に切断加工した第１、第２、第３及び第４の４種類の隅瓦を第１〜第４カットラインが一直線に整列するように隅棟又は谷の下段から上段へと順に葺設することで、隅棟または谷を施工できる。このため、現場合わせで桟瓦を切断加工する必要がないので、屋根の葺設作業の能率が向上するとともに、施工現場での瓦廃材を減少できる。
【実施例】
【００１１】
以下に本発明の実施例を図面に基づき説明する。図１〜図４にはそれぞれ本発明の実施例に係る隅瓦セットを構成する第１右棟隅瓦１１、第２右棟隅瓦１２、第３右棟隅瓦１３及び第４右棟隅瓦１４の４種類の右棟隅瓦が実線で示されている。また、図１〜図４には本発明の実施例に係る隅瓦セットを構成する第１左谷隅瓦２１、第２左谷隅瓦２２、第３左谷隅瓦２３及び第４左谷隅瓦２４の４種類の左谷隅瓦が破線で示されている。
【００１２】
第１〜第４右棟隅瓦１１〜１４及び第１〜第４左谷隅瓦２１〜２４は図５に示す桟瓦１０を２分割して形成されている。この桟瓦１０は略縦長矩形の瓦本体１０Ａと本体１０Ａの左端面に連設した差込部１０Ｂから成り、瓦本体１０Ａの頭部側端面１０ａと差込部１０Ｂの頭部側端面１０ｂとの間に切欠部１０Ｃが形成されている。本実施例では利き幅の全長が３０６ｍｍ、昇り足全長が３５０ｍｍ、切欠部の昇り足方向の深さが３５ｍｍの桟瓦１０を用いている。
【００１３】
図１に示すように、第１右棟隅瓦１１は桟瓦１０を右上がりの第１右上がりカットラインＬＲ１から２分割した右瓦片１１から成り、第１左谷隅瓦２１は桟瓦１０を第１右上がりカットラインＬＲ１から２分割した右瓦片２１から成る。第１右上がりカットラインＬＲ１は桟瓦の尻側端面１０ｂ若しくは頭部側端面１０ａと所定角度で交差している。この交差角度は４寸、４寸５分、５寸といった屋根勾配、桟瓦を葺設したとき瓦本体が屋根の勾配面と成す角度である戻り勾配、桟瓦の利き幅全長及び桟瓦の昇り足全長並びに桟瓦葺設時の昇り足に基づいて設定されている。屋根勾配が４寸５分の場合、棟隅の角度は計算上４７．６４になるが、戻り勾配を考慮し、第１右上がりカットラインＬＲ１の交差角度として４６．７８゜を採用している。
【００１４】
第１右棟隅瓦１１は桟瓦１０を第１右上がりカットラインＬＲ１から２分割し、外形が略５角形で、桟瓦１０の利き幅全長分（３０６ｍｍ）の頭部側端面１１ａと、桟瓦１０の昇り足全長分（３５０ｍｍ）の右端面１１ｃと、昇り足全長の約１／１０の長さ（３５ｍｍ）の左端面１１ｄと、極短い長さ（１０ｍｍ）の尻側端面１１ｂを有するように形成されている。
【００１５】
第１左谷隅瓦２１は桟瓦１０を第１右上がりカットラインＬＲ１から２分割し、外形が略３角形で、桟瓦１０の利き幅全長分の尻側端面２１ｂと、昇り足全長の約９／１０の長さ（３１５ｍｍ）の左端面２１ｄを有するように形成されている。
【００１６】
図２に示すように、第２右棟隅瓦１２は桟瓦１０を第１右上がりカットラインＬＲ１と平行な第２右上がりカットラインＬＲ２から２分割して形成した左右の瓦片のうち右瓦片１２から成る。また、第２左谷隅瓦２２は桟瓦１０を第２右上がりカットラインＬＲ２から２分割して形成した左右の瓦片のうち左瓦片２２から成る。
【００１７】
第２右棟隅瓦１２は外形が略三角形で、桟瓦の利き幅全長の約３／４の長さ（２４２ｍｍ）の頭部側端面ａと、桟瓦１０の昇り足全長の約３／４の長さ（２５７．５ｍｍ）の右端面１２ｃを有するように形成されている。
【００１８】
第２左谷隅瓦２２は外形が略５角形で、桟瓦１０の利き幅全長分の尻側端面２２ｂと、桟瓦１０の昇り足全長分の左端面２２ｄと、桟瓦１０の利き幅全長の約１／４の長さ（６４ｍｍ）の頭部側端面２２ａと、桟瓦１０の昇り足全長の約１／４の長さ（９２．５ｍｍ）の右端面２２ｃを有するように形成されている。
【００１９】
図３に示すように、第３右棟隅瓦１３は桟瓦１０を第１右上がりカットラインＬＲ１と平行な第３右上がりカットラインＬＲ３から２分割して形成した左右の瓦片のうち右瓦片１３から成る。また、第３左谷隅瓦２３は桟瓦１０を第３右上がりカットラインＬＲ３から２分割して形成した左右の瓦片のうち左瓦片２３から成る。
【００２０】
第３右棟隅瓦１３は外形が略三角形で、昇り足全長の約２／５の長さ（１５４．４ｍｍ）の右端面１３ｃと、利き幅全長の約２／５の長さ（１４５．１ｍｍ）の頭部側端面１３ａを有するように形成されている。
【００２１】
第３左谷隅瓦２３は外形が略５角形で、桟瓦１０の利き幅全長分の尻側端面２３ｂと、桟瓦１０の昇り足全長分の左端面２３ｄと、桟瓦１０の昇り足全長の約３／５の長さ（１９５．６ｍｍ）の右端面２３ｃと、桟瓦１０の利き幅全長の約３／５の長さ（１６０．９ｍｍ）の頭部側端面２３ａを有するように形成されている。
【００２２】
図４に示すように、第４右棟隅瓦１４は桟瓦１０を第１右上がりカットラインＬＲ１と平行な第４右上がりカットラインＬＲ４から２分割して形成した左右の瓦片のうち右瓦片１４から成る。また、第４左隅瓦２４は桟瓦１０を第４右上がりカットラインＬＲ４から２分割して形成した左右の瓦片のうち左瓦片２４から成る。
【００２３】
第４右棟隅瓦１４は外形が略５角形で、桟瓦１０の利き幅全長分の頭部側端面１４ａと、桟瓦１０の昇り足全長分の右端面１４ｃと、桟瓦１０の昇り足全長の約２／５の長さ（１５４．４ｍｍ）の左端面１４ｄと、桟瓦１０の利き幅全長の約２／５の長さ（１２２，２ｍｍ）の尻側端面１４ｂを有するように形成されている。
【００２４】
第４左谷隅瓦２４は外形が略３角形で、桟瓦１０の昇り足全長の３／５の長さ（１９５．６ｍｍ）の左端面２４ｄと、桟瓦１０の利き幅全長の約３／５の長さ（１８３．８ｍｍ）の尻側端面２４ｂを有するように形成されている。
【００２５】
次に、図６〜図９にはそれぞれ本発明の実施例に係る隅瓦セットを構成する第１左棟隅瓦３１、第２左棟隅瓦３２、第３左棟隅瓦３３及び第４左棟隅瓦３４の４種類の左棟隅瓦を実線で示す。また、図６〜図９に本発明の実施例に係る隅瓦セットを構成する第１右谷隅瓦４１、第２右谷隅瓦４２、第３右谷隅瓦４３及び第４右谷隅瓦４４の４種類の右谷隅瓦を破線で示す。
【００２６】
第１〜第４左棟隅瓦３１〜３４及び第１〜第４右谷隅瓦４１〜４４も、第１〜第４右棟隅瓦１１から１４及び第１〜第４左谷隅瓦２１〜２４と同様に、図５に示す桟瓦１０を２分割して形成されている。
【００２７】
図６に示すように、第１左棟隅瓦３１は第１左上がりカットラインＬＬ１から２分割して形成した左右の瓦片のうち左瓦片３１から成る。この第１左上がりカットラインＬＬ１は第１右上がりカットラインＬＲ１と同じく、４６．７８゜の角度で瓦本体１０Ａの頭部側端面１０ａ若しくは尻側端面１０ｂと交差する。また、第１右谷隅瓦４１は第１左上がりカットラインＬＬ１から２分割して形成した左右の瓦片のうち右瓦片４１から成る。
【００２８】
第１左棟隅瓦３１は外形が略５角形で、桟瓦１０の利き幅全長分の頭部側端面３１ａと、桟瓦１０の昇り足全長分の左端面３１ｄと、昇り足全長の約１／１０の長さ（３５ｍｍ）の右端面３１ｃと、極短い長さ（１０ｍｍ）の尻側端面３１ｂを有するように形成されている。
【００２９】
第１右谷隅瓦４１は外形が略３角形で、桟瓦１０の利き幅全長分の尻側側端面４１ｂと、昇り足全長の約９／１０の長さ（３１５ｍｍ）の右端面４１ｃを有するように形成されている。
【００３０】
図７に示すように、第２左棟隅瓦３２と第２右谷隅瓦４２は桟瓦１０を第１左上がりカットラインＬＬ１と平行な第２左上がりカットラインＬＬ２から２分割した左瓦片３２と右瓦片４２から成る。
【００３１】
第２左棟隅瓦３２は外形が略三角形で、桟瓦１０の利き幅全長の約３／４の長さ（２４２ｍｍ）の頭部側端面３２ａと、昇り足全長の約３／４の長さ（２５７．５ｍｍ）の左端面３２ｄを有するように形成されている。
【００３２】
第２右谷隅瓦４２は外形が略５角形で、桟瓦１０の利き幅全長分の尻側端面４２ｂと、桟瓦１０の昇り足全長分の右端面４２ｃと、桟瓦１０の利き幅全長の約１／４の長さ（６４ｍｍ）の頭部側端面４２ａと、昇り足全長の１／４の長さ（９２．５ｍｍ）の左端面４２ｄを有するように形成されている。
【００３３】
図８に示すように、第３左棟隅瓦３３と第３右谷隅瓦４３は桟瓦１０を第１左上がりカットラインＬＬ１と平行な第３左上がりカットラインＬＬ３から２分割した左瓦片３３と右瓦片４３から成る。
【００３４】
第３左棟隅瓦３３は外形が略三角形で、昇り足全長の約２／５の長さ（１５４．４ｍｍ）の左端面３３ｄと、利き幅全長の約２／５の長さ（１４５．１ｍｍ）の頭部側端面３３ａを有するように形成されている。
【００３５】
第３右谷隅瓦４３は外形が略５角形で、桟瓦１０の利き幅全長分の尻側端面４３ｂと、桟瓦１０の昇り足全長分の右端面４３ｃと、昇り足全長の約３／５の長さ（１９６．６ｍｍ）の左端面４３ｄと、利き幅全長の約３／５の長さ（１６０．９ｍｍ）の頭部側端面４３ａを有するように形成されている。
【００３６】
図９に示すように、第４左棟隅瓦３４と第４右谷隅瓦４４は桟瓦１０を第１左上がりカットラインＬＬ１と平行な第４左上がりカットラインＬＬ４から２分割した左瓦片３４と右瓦片４４から成る。
【００３７】
第４左棟隅瓦３４は外形が略５角形で、桟瓦１０の利き幅全長分の頭部側端面３４ａと、桟瓦１０の昇り足全長分の左端面３４ｄと、桟瓦１０の昇り足全長の約２／５の長さ（１５４．４ｍｍ）の右端面３４ｃと、利き幅全長の約２／５の長さ（１２２．２ｍｍ）の尻側端面３４ｂを有するように形成されている。
【００３８】
第４右谷隅瓦４４は外形が略３角形で、桟瓦１０の昇り足全長の３／５の長さ（１９５．６ｍｍ）の右端面４４ｃと、利き幅全長の約３／５の長さ（１８３．８ｍｍ）の尻側端面４４ｂを有するように形成されている。
【００３９】
第１〜第４右棟隅瓦１１〜１４、第１〜第４左谷隅瓦２１〜２４、第１〜第４左棟隅瓦３１〜３４及び第１〜第４右谷隅瓦４１〜４４の形状、寸法は以上の通りであって、図１０に示すように、第１〜第４右棟隅瓦１１〜１４は右隅棟に葺設して使用され、第１〜第４左棟隅瓦３１〜３４は左隅棟に葺設して使用される。葺設に際しては、桟瓦１０を千鳥葺きし、第１、第２、第３、第４右棟隅瓦の順で屋根の右隅棟の下段から上段へと葺設する。同様に、第１、第２、第３、第４左棟隅瓦の順で屋根の左隅棟の下段から上段へと葺設する。第１、第２、第３及び第４の各右上がりカットラインＬＲ１〜ＬＲ４は略一直線に整列して右隅棟が施工される。同様に第１、第２、第３及び第４の各左上がりカットラインＬＬ１〜ＬＬ４が略一直線に整列して左隅棟が施工される。
【００４０】
また、図１１に示すように、第１〜第４左谷棟隅瓦２１〜２４は左谷に葺設して使用され、第１〜第４右谷隅瓦４１〜４４は右谷に葺設して使用される。葺設に際しては、桟瓦１０を千鳥葺きし、第１、第２、第３、第４左谷隅瓦の順で屋根の左谷の下段から上段へと葺設する。同様に、第１、第２、第３、第４右谷隅瓦の順で屋根の右谷の下段から上段へと葺設する。第１、第２、第３及び第４の各右上がりカットラインＬＲ１〜ＬＲ４は略一直線に整列して左谷が施工される。同様に第１、第２、第３及び第４の各左上がりカットラインＬＬ１〜ＬＬ４が略一直線に整列して右谷が施工される。
【００４１】
次に、図１２に第１〜第４右棟隅瓦１１〜１４の形状、寸法の設定方法を示す。第２、第３、第４の右棟隅瓦１２〜１４は第１右棟隅瓦１１に基づいて設定される。図１２は右棟隅の一部が拡大して図示されている。桟瓦１０は千鳥葺きに、すなわち下段の桟瓦１０に対しその上段の桟瓦１０は左右方向に桟瓦１０の利き幅（Ｗ＝３０６mm）の半分の長さに相当する１５３ｍｍずらして葺設されている。また、桟瓦１０は昇り寸法Ｌ１＝２８０ｍｍで葺設されている。そして、右棟隅に第１右棟隅瓦１１、第２右棟隅瓦１２、第３右棟隅瓦１３、第４右棟隅瓦１４が下段から上段へと順に葺設されている。
【００４２】
第１右棟隅瓦１１から第２右棟隅瓦１２の形状、寸法を求めるには図１２中にａ，ｂで示す第１右棟隅瓦１１の特定部分の寸法が必要となる。そこで、まず寸法ａと寸法ｂを求める。
第１カットラインとして４６．７８゜を採用したので、図１２中の寸法ａは以下の式から導き出すことができる。
Ｌ２＝Ｌ１−３５＝２４５
ｔａｎ（４６．７８）＝２４５／ａ
ａ＝２３０
【００４３】
続いて、図１２中のｂを次式から算出する。
ａ＋ｂ＝３０６
ｂ＝３０６−２３０＝７６
【００４４】
次に第２右棟隅瓦１２の頭部側端面１２ａの長さｃを設定するうえでの基準となる寸法ｃを求める。
ｃ＝１５３＋ｂ＝２２９  ここに１５３ｍｍは桟瓦の利き幅Ｗの１／２の寸法である。第２右棟隅瓦の頭部側端面の長さはこの寸法ｃに第２右上がりカットラインＬＲ２から桟瓦１０を切断するための切断刃の厚みを考慮して２４２ｍｍに設定する。従って、第２右棟隅瓦１２の右端面１２ｃの長さｄが次式から算出できる。
ｔａｎ（４６．７８）＝ｄ／２４２
ｄ＝２５７．５
【００４５】
次に、第３右棟隅瓦１３の右端面１３ｃの長さを設定するうえでの基準となる寸法ｆを求める。第２右棟隅瓦１２の頂点から水平線を引き、第３右棟隅瓦１３の右端面１３ｃの延長線と交差させて三角形を区画形成する。この三角形における寸法ｅは次式から算出できる。
ｄ＋ｅ＝２８０
ｅ＝２８０−ｄ＝２８０−２５７．５＝２２．５
ｅが算出できるとｆは次式から算出できる。
ｔａｎ（４６．７８）＝（ｅ＋ｆ）／１５３
（２２．５＋ｆ）＝１６２．８
ｆ＝１４０．３
よって、切断刃の厚みを考慮し、第３右棟隅瓦の右端面１３ｃの長さを１５４．４ｍｍに設定する。
従って、第３右棟隅瓦１３の頭部側端面１３ａの長さは以下の式から算出できる。
ｔａｎ（４６．７８）＝１５４．４／ｇ
ｇ＝１４５．１
こうして、第３右棟隅瓦１３の頭部側端面１３ａの長さが１４５．１ｍｍに設定される。
【００４６】
次に、第４右隅棟瓦１４の尻側端面１４ｂの長さｈを次式から算出する。
桟瓦１０の昇り足全長Ｌ＝３５０ｍｍであるので、
Ｌ−ｆ＝３５０−１５４．４−１９５．６
ｔａｎ（４６．７８）＝１９５．６／（３０６−ｈ）
３０６−ｈ＝１８３．８３
ｈ＝３０６−１８３．８３＝１２２．２
こうして、第４右棟隅瓦の頭部側端面１４ｂの長さが１２２．２ｍｍに設定される。
【００４７】
以上説明したように、本実施例に係る隅瓦セットは、予め所定形状に切断加工した第１、第２、第３及び第４の４種類の隅瓦を第１〜第４カットラインが一直線に整列するように隅棟又は谷の下段から上段へと順に葺設することで、隅棟または谷を施工できる。このため、現場合わせで桟瓦を切断加工する必要がないので、屋根の葺設作業の能率が向上するとともに、施工現場での瓦廃材を減少できる。
なお、本実施例では屋根勾配が４寸５分の場合、棟隅の角度は計算上４７．６４になるので、戻り勾配を考慮し、第１右上がりカットラインＬＲ１の交差角度として４６．７８゜を採用して前述した右棟隅瓦セット、左谷隅瓦セット、左棟隅瓦セット及び右谷隅瓦セットの形状、寸法を設定したが、これらの隅瓦セットは現場で各隅瓦を微調整すれば屋根勾配が４寸や５寸の屋根の隅棟や谷を葺設するにも用いることができる。その場合でも微調整でこれらの隅瓦から生ずる破片の量は少ない。従って、予め工場で桟瓦を前述した所定形状の角瓦に切断加工しておけば、屋根勾配の違いにかかわらず使用でき、施工現場での瓦廃棄物の発生を著しく抑制できる。
【図面の簡単な説明】
【００４８】
【図１】本発明の一実施例に係る右棟隅瓦セットと左谷隅瓦セットを構成する第１右棟隅瓦と第１左谷隅瓦を示す平面図である。
【図２】本発明の一実施例に係る右棟隅瓦セットと左谷隅瓦セットを構成する第２右棟隅瓦と第２左谷隅瓦を示す平面図である。
【図３】本発明の一実施例に係る右棟隅瓦セットと左谷隅瓦セットを構成する第３右棟隅瓦と第３左谷隅瓦を示す平面図である。
【図４】本発明の一実施例に係る右棟隅瓦セットと左谷隅瓦セットを構成する第４右棟隅瓦と第４左谷隅瓦を示す平面図である。
【図５】本発明の一実施例に係る右棟隅瓦等の製作に用いられる桟瓦を示す平面図である。
【図６】本発明の一実施例に係る左棟隅瓦セットと右谷隅瓦セットを構成する第１左棟隅瓦と第１右谷隅瓦を示す平面図である。
【図７】本発明の一実施例に係る左棟隅瓦セットと右谷隅瓦セットを構成する第２左棟隅瓦と第２右谷隅瓦を示す平面図である。
【図８】本発明の一実施例に係る左棟隅瓦セットと右谷隅瓦セットを構成する第３左棟隅瓦と第３右谷隅瓦を示す平面図である。
【図９】本発明の一実施例に係る左棟隅瓦セットと右谷隅瓦セットを構成する第４左棟隅瓦と第４右谷隅瓦を示す平面図である。
【図１０】右棟隅瓦セットと左棟隅瓦セットを葺設した隅棟を示す平面図である。
【図１１】右谷隅瓦セットと左谷隅瓦セットを葺設した谷を示す平面図である。
【図１２】本発明の実施例に係る右棟隅瓦の形状、寸法の設定方法を示す説明図である。
【符号の説明】
【００４９】
１０…桟瓦
１１…第１右棟隅瓦
１２…第２右棟隅瓦
１３…第３右棟隅瓦
１４…第４右棟隅瓦
２１…第１左谷隅瓦
２２…第２左谷隅瓦
２３…第３左谷隅瓦
２４…第４左谷隅瓦
３１…第１左棟隅瓦
３２…第２左棟隅瓦
３３…第３左棟隅瓦
３４…第４左棟隅瓦
４１…第１右谷隅瓦
４２…第２右谷隅瓦
４３…第３右谷隅瓦
４４…第４右谷隅瓦
ＬＲ１…第１右上がりカットライン
ＬＲ２…第２右上がりカットライン
ＬＲ３…第３右上がりカットライン
ＬＲ４…第４右上がりカットライン
ＬＬ１…第１左上がりカットライン
ＬＬ２…第２左上がりカットライン
ＬＬ３…第３左上がりカットライン
ＬＬ４…第４左上がりカットライン
【図１】
2008231711.tif 000003
【図２】
2008231711.tif 000004
【図３】
2008231711.tif 000005
【図４】
2008231711.tif 000006
【図５】
2008231711.tif 000007
【図６】
2008231711.tif 000008
【図７】
2008231711.tif 000009
【図８】
2008231711.tif 000010
【図９】
2008231711.tif 000011
【図１０】
2008231711.tif 000012
【図１１】
2008231711.tif 000013
【図１２】
2008231711.tif 000014